(57)【要約】【解決手段】面ファスナーの横（幅）方向に柔軟性を有する面ファスナー。面ファスナーは、本体、複数のファスナー及び複数の横壁を含む。複数のファスナー及び複数の横壁は本体の上面から上方向に延出する。複数のファスナーは横方向に延在する列に配列されている。各横壁は横壁幅を含み、複数の横壁の少なくとも一部は複数のファスナーの列に配列され、ファスナー列のファスナーを連結する。面ファスナーは横壁の少なくとも１個の内部に、又は隣接して少なくとも１個のスリットを含み、それにより面ファスナーの横方向の柔軟性を高める。【選択図】図１
2017023723.tif 000002
【特許請求の範囲】
【請求項１】
面ファスナーであって、
第１の端縁、第１の端縁から遠位の第２の端縁、第１の端縁と第２の端縁との間に延在する底面及び、第１の端縁と第２の端縁との間に延在する上面を含む本体を備え、本体は第１の端縁から第２の端縁への横方向及び横方向を横切る縦方向を画成しており、
本体の上面から上方向に延出し、本体の横方向に延在する列に配列された複数のファスナーを備え、複数のファスナーの各ファスナーは高さｆを有しており、
本体の上面から上方向に延出する複数の横壁を備え、複数の横壁の各横壁は本体の横方向に延在し横壁幅を備えており、複数の横壁の少なくとも一部は複数のファスナーの列に配列され、複数のファスナーの列のファスナーを連結しており、
複数の横壁の少なくとも１個の内部に、又はそれに隣接して少なくとも１個のスリットを備えており、少なくとも１個のスリットは横壁の頂端から本体の上面に向けて延在しており、少なくとも１個のスリットは横壁幅よりも小さいスリット幅を有しており、少なくとも１個のスリットはほぼｆ＋０．１５ｆ以下であり、且つほぼｆ−０．１５ｆ以上である高さｈを有する、面ファスナー。
【請求項２】
第１の端縁と第２の端縁との間で本体の上面から上方向に延出する第１の側壁と、
第１の側壁と第２の端縁との間で本体の上面から上方向に延出する第２の側壁とをさらに備えており、
複数のファスナー及び複数の横壁は第１の側壁と第２の側壁との間で本体の上面に配置されている、請求項１に記載の面ファスナー。
【請求項３】
少なくとも１個のスリットは複数の横壁の１個及び第１の側壁によって画成される、請求項２に記載の面ファスナー。
【請求項４】
第１の側壁の高さは複数の横壁の各々の高さよりも大きく、第２の側壁の高さは複数の横壁の各々の高さよりも大きい、請求項２に記載の面ファスナー。
【請求項５】
少なくとも１個のスリットは複数の横壁の１個及び複数のファスナーの１個によって画成される、請求項１に記載の面ファスナー。
【請求項６】
少なくとも１個のスリットは複数のファスナーの列のファスナーを連結する複数の横壁の少なくとも１個によって画成される、請求項１に記載の面ファスナー。
【請求項７】
少なくとも１個のスリットの内部に配置された隆条をさらに備えており、隆条は本体の上面から上方向に延出する、請求項１に記載の面ファスナー。
【請求項８】
少なくとも１個のスリットの高さｈは複数のファスナーの頂端から隆条の頂端まで延在し、ｈはｆよりも小さく、且つほぼｆ−０．１５ｆ以上である、請求項７に記載の面ファスナー。
【請求項９】
面ファスナーであって、
第１の端縁、第１の端縁から遠位の第２の端縁、第１の端縁と第２の端縁との間に延在する底面及び、第１の端縁と第２の端縁との間に延在する上面を含む本体を備え、本体は第１の端縁から第２の端縁への横方向及び横方向を横切る縦方向を画成しており、
第１の端縁と第２の端縁との間で上面から上方向に延出する第１の側壁を備え、
第１の側壁と第２の端縁との間で上面から上方向に延出する第２の側壁を備え、
本体の上面から上方向に延出し、第１の側壁と第２の側壁との間で本体の横方向に延在する列に配列された複数のファスナーを備え、複数のファスナーの各ファスナーは高さｆを有しており、
本体の上面から上方向に延出する複数の横壁を備え、複数の横壁の各横壁は第１の側壁と第２の側壁との間で本体の横方向に延在し横壁幅を備えており、複数の横壁の少なくとも一部は複数のファスナーの列に配列され複数のファスナーの列のファスナーの間に延在しており、複数の横壁の各々の高さは一般に複数のファスナーの各々の高さと同じであり、
複数の横壁の少なくとも１個の内部に、又はそれに隣接して少なくとも１個のスリットを備えており、少なくとも１個のスリットは横壁の頂端から本体の上面に向けて延在しており、少なくとも１個のスリットは横壁幅よりも小さいスリット幅を有しており、少なくとも１個のスリットはほぼｆ＋０．１５ｆ以下であり、且つほぼｆ−０．１５ｆ以上である高さｈを有する、面ファスナー。
【請求項１０】
少なくとも１個のスリットは複数の横壁の１個及び第１の側壁によって画成される、請求項９に記載の面ファスナー。
【請求項１１】
少なくとも１個のスリットは複数の横壁の１個及び複数のファスナーの１個によって画成される、請求項９に記載の面ファスナー。
【請求項１２】
少なくとも１個のスリットは複数のファスナーの列に配列され複数のファスナーの列のファスナーの間に延在する複数の横壁の少なくとも１個によって画成される、請求項９に記載の面ファスナー。
【請求項１３】
少なくとも１個のスリットは複数のファスナーの列の第１列にあり、第２のスリットは複数のファスナーの列の第２列にある、請求項９に記載の面ファスナー。
【請求項１４】
少なくとも１個のスリットは横壁の頂端から本体の上面下方の位置まで延在する、請求項１３に記載の面ファスナー。
【請求項１５】
少なくとも１個のスリットは横壁の頂端から本体の上面上方の位置まで延在する、請求項１３に記載の面ファスナー。
【請求項１６】
少なくとも１個のスリットは横壁の頂端から本体の上面まで延在する、請求項１３に記載の面ファスナー。
【請求項１７】
面ファスナーであって、
第１の端縁、第１の端縁から遠位の第２の端縁、及び第１の端縁と第２の端縁との間に延在する上面を含む本体を備え、本体は第１の端縁から第２の端縁への横方向及び横方向を横切る縦方向を画成しており、
本体の上面から上方向に延出し、第１の端縁と第２の端縁との間で本体の横方向に延在する列に配列された複数のファスナーを備え、複数のファスナーの各ファスナーは高さｆを有しており、
本体の上面から上方向に延出する複数の横壁を備え、複数の横壁の各横壁は本体の横方向に延在し横壁幅を備えており、複数の横壁の少なくとも一部は複数のファスナーの列に配列され、複数のファスナーの列のファスナーの間に延在しており、
複数のファスナーの列の第１列における複数の横壁の少なくとも１個の内部に、又はそれに隣接して第１のスリットを備え、第１のスリットは横壁の頂端から本体の上面に向けて延在し、横壁幅よりも小さい第１のスリット幅を有しており、第１のスリットはほぼｆ＋０．１５ｆ以下であり、且つほぼｆ−０．１５ｆ以上である高さｈを有しており、
複数のファスナーの列の第２列における複数の横壁の少なくとも１個の内部に、又はそれに隣接して第２のスリットを備え、第２のスリットは横壁の頂端から本体の上面に向けて延在し、横壁幅よりも小さい第２のスリット幅を有する、面ファスナー。
【請求項１８】
第１の端縁と第２の端縁との間で本体の上面から上方向に延出する第１の側壁と、
第１の側壁と第２の端縁との間で本体の上面から上方向に延出する第２の側壁とをさらに備えており、
複数のファスナー及び複数の横壁は第１の側壁と第２の側壁との間で本体の上面に配置されている、請求項１７に記載の面ファスナー。
【請求項１９】
第１のスリットの内部に配置された隆条をさらに備えており、隆条は本体の上面から上方向に延出する、請求項１７に記載の面ファスナー。
【請求項２０】
第１のスリットの高さｈは複数のファスナーの頂端から隆条の頂端まで延在し、ｈはｆよりも小さく、且つほぼｆ−０．１５ｆ以上である、請求項１９に記載の面ファスナー。
【発明の詳細な説明】
【技術分野】
【０００１】
この出願は、２０１５年７月１７日出願の「幅方向の柔軟性を備えるフック面ファスナー」の名称による米国特許仮出願第６２／１９３９８９号の利益を主張し、その出願は参照によって全体として本書に援用される。
【０００２】
本願は面ファスナー及び面ファスナーを成形する方法に関する。
【背景技術】
【０００３】
自動車その他の用途において使用される面ファスナーは、最初に金型内のトレンチに面ファスナーを置くことによって座席クッションその他の構成要素に設置され得る。面ファスナーを配置した後、ウレタンフォームが導入され、それは面ファスナーのまわりに座席クッションその他の構成要素を形成する。フォームが面ファスナーに侵入した場合、面ファスナーの例えばフックといったファスナーは不良になりがちである。面ファスナーが配置されるトレンチ表面が平面ではなく湾曲している場合、フォーム侵入はより起こりやすい。
【０００４】
用語「実施形態」及び類似用語は、この開示の内容の全部を幅広く指すように意図している。これらの用語を含んでいる論述は、本書に記載された内容を限定するものではないと理解しなければならない。この概要は、開示の各種態様の高水準の概説であり、以下の詳細な説明部でさらに述べる概念の一部を提示する。この概要は、重要又は本質的な特徴を識別するために意図していないし、又は切り離して使用されるように意図してもいない。
【発明の概要】
【発明が解決しようとする課題】
【０００５】
面ファスナーをより容易に曲げ、且つ／又はねじれるようにするために横（幅）方向の柔軟性を高めた面ファスナーを開示する。また、当該面ファスナーの製造方法も開示する。柔軟性が改善された面ファスナーは、丸みのある、又は湾曲した表面のトレンチを含む面ファスナーが配置される表面の形状に良好に合致でき、フォームの侵入を低減するのを助け得る。
【課題を解決するための手段】
【０００６】
一態様において、面ファスナーは、第１の端縁、第１の端縁から遠位の第２の端縁、第１の端縁と第２の端縁との間に延在する底面及び第１の端縁と第２の端縁との間に延在する上面を含む本体を有する。本体は第１の端縁から第２の端縁への横方向及び横方向を横切る縦方向を画成する。
【０００７】
また、面ファスナーは、本体の上面から上方向に延出し、本体の横方向に延在する列に配列された複数のファスナーを含む。複数のファスナーの各ファスナーは高さｆを有する。また、面ファスナーは、本体の上面から上方向に延出する複数の横壁を含む。複数の横壁の各横壁は本体の横方向に延在し、横壁幅を備える。複数の横壁の少なくとも一部は複数のファスナーの列に配列され、複数のファスナーの列のファスナーを連結する。さらに、面ファスナーは横壁の少なくとも１個の内部に、又は隣接して少なくとも１個のスリットを含む。少なくとも１個のスリットは横壁の頂端から本体の上面に向けて延在し、横壁幅よりも小さいスリット幅をする。場合によっては、少なくとも１個のスリットは、ほぼｆ−０．１５ｆ（又はおよそ０．８５ｆ）以上であり、且つほぼｆ＋０．１５ｆ（又はおよそ１．１５ｆ）以下である高さｈを有する。
【０００８】
一部実施例において、また、面ファスナーは、第１の端縁と第２の端縁との間で上面から上方向に延出する第１の側壁を含む。また、面ファスナーは、第１の側壁と第２の端縁との間で上面から上方向に延出する第２の側壁を含み得る。これらの態様において、複数のファスナーは第１の側壁と第２の側壁との間に配置されており、複数の横壁は第１の側壁と第２の側壁との間で本体の横方向に延在する。一部実施例では、複数の横壁の各々の高さは一般に複数のファスナーの各々の高さと同じである。
【０００９】
場合によっては、少なくとも１個のスリットは複数の横壁の１個及び第１の側壁によって画成される。
【００１０】
他の場合、少なくとも１個のスリットは複数の横壁の１個及び複数のファスナーの１個によって画成される。
【００１１】
さらに他の場合、少なくとも１個のスリットは、複数のファスナーの列に配列されファスナーの間に延在する横壁の少なくとも１個によって画成される。
【００１２】
一部実施例では、面ファスナーは、複数のファスナーの列の第１列における複数の横壁の少なくとも１個の横壁の内部の、又は隣接した第１のスリットと、複数のファスナーの列の第２列における複数の横壁の少なくとも１個の横壁の内部の、又は隣接した第２のスリットを含む。第１のスリットは横壁の頂端から本体の上面に向けて延在し、横壁幅よりも小さい第１のスリット幅を有しており、第２のスリットは横壁の頂端から本体の上面に向けて延在し、横壁幅よりも小さい第２のスリット幅を有する。
【００１３】
本開示において記載された各種具体化は、必ずしも本書に明白に開示されているわけではない付加的なシステム、方法、特徴及び利益を含み得るが、以下の詳細な説明及び添付図面の考察により当業者には明らかであろう。そうした全部のシステム、方法、特徴及び利益は本開示の範囲内に含まれ、添付のクレームによって保護される。
【００１４】
本開示の例示的実施形態を以下の図面に関して以下で詳細に説明する。
【図面の簡単な説明】
【００１５】
【図１】本開示の態様に従った面ファスナー１区分の上面斜視図である。
【図２】図１の面ファスナー区分の平面図である。
【図３】図１の面ファスナー区分の端面図である。
【図４Ａ】平坦なトレンチ表面での図１の面ファスナー区分の端面図である。
【図４Ｂ】湾曲したトレンチ表面での図１の面ファスナー区分の端面図である。
【図５】本開示の態様に従った面ファスナー１区分の斜視図である。
【図６】図５の面ファスナー区分の平面図である。
【図７Ａ】図５の面ファスナー区分の端面図である。
【図７Ｂ】本開示の態様に従った面ファスナー１区分の端面図である。
【図８】本開示の態様に従った面ファスナー１区分の部分上面斜視図である。
【図９】図５の面ファスナー区分の端面図である。
【図１０】本開示の態様に従った結合した面ファスナー区分の上面斜視図である。
【図１１】図１０の結合した面ファスナー区分の平面図である。
【図１２】図１０の結合した面ファスナー区分の端面図である。
【図１３】本開示の態様に従った図１の面ファスナーを成形するために使用される例示的なダイホイールの模型の正面図である。
【図１４】本開示の態様に従った図１の面ファスナーを成形するための例示的な押出しプロセスの側面図である。
【発明を実施するための形態】
【００１６】
本発明の態様及び実施例の内容は、法定要件を満たすためにここで特定的に説明するが、この説明は必ずしも限定するように意図していない。説明した内容は、他のやり方で実施してよいし、異なる要素又はステップを含んでもよく、他の現行又は将来の技術と連係して使用してもよい。この説明は、個々のステップの順序又は要素の配列が明示的に述べられている場合を除き、各種ステップ又は要素間のいかなる特定の順序又は配列も意味していると解釈してはならない。
【００１７】
以下の説明は本発明の効果的な教示として提示されている。このために、本発明の有益な成果を変わらず得ながら、本書に記載された本発明の各種態様に多くの変更がなし得ることを当業者は十分に認識するであろう。所望の利益の一部は他の特徴を利用することなく本発明の特徴の一部を選択することによって得られることもまた明白である。従って、本発明への多くの修正及び適応が可能であり、場合によっては望ましくさえあって、本発明の一部であることを当業者は認識するであろう。このように、以下の説明は、その限定としてではなく本発明の原理の例示として提示される。
【００１８】
全体を通じて使用される通り、単数形「ａ」、「ａｎ」及び「ｔｈｅ」は、文脈が明確に別様に示していない限り、複数の指示物も含む。従って、例えば「ファスナー」という言及は、文脈が別様に示していない限り、２個以上の当該ファスナーを含み得る。
【００１９】
範囲はここで、「およそ」ある１つの値から、及び／又は「およそ」ある別の値までとして表現され得る。そのような範囲が表現された場合、別の態様はその特定の値から、及び／又は他の特定の値までを含む。同様に、値が近似として表現された場合、先行する「およそ」の使用によって、その特定の値は別の態様を成す。さらに、範囲の各々の端点は、他方の端点に関して、且つ他方の端点とは独立に、両方とも有意である。
【００２０】
ここで使用する限り、用語「随意の」又は「随意で」は、以後に記述された事象又は状況が起こり得るか起こり得ないかどちらでもよいこと及び、その記述は前記事象又は状況が起きた事例及び起こらない事例を含むことを意味する。
【００２１】
ここで使用する限り、語「又は」は、あるリストの任意の１つの構成員を意味し、さらにはそのリストの構成員の任意の組合せも含む。さらに、例えばとりわけ、「できる」、「できた」、「かもしれない」又は「できる」といった条件を表す言語は一般に、特定的に別様に述べていない限り、又は使用された文脈内で別様に理解されない限り、他の態様が含まない一方、特定の態様が特定の特徴、要素及び／又はステップを含むことを伝えるように意図している。従って、そのような条件を表す言語は一般に、特徴、要素及び／又はステップが１以上の特定の態様に何らかの形で必要であることを意味するように意図していない。とりわけ、「上」、「下」、「最も上」、「左」、「右」、「前」、「後」及び「角」といった方向を示す言及は、その構成要素及び方向が参照している単数又は複数の図に図示記載されている向きを指すように意図している。
【００２２】
面ファスナーならびに関連する方法、システム、装置及び各種器械を開示する。一態様において、面ファスナーは、本体、側壁、フックといった複数のファスナー、及び横壁を有する。開示された面ファスナーが多数の中のごく少数の例示的態様において説明されていることを当業者は理解するであろう。
【００２３】
図１〜図３に言及すれば、面ファスナー１００は第１の端縁１０４及び第１の端縁１０４から遠位の第２の端縁１０６を有する本体１０２を含む。本体１０２はさらに上面１０８及び底面３０２（図３）を含み、各々第１の端縁１０４と第２の端縁１０６との間に延在する。本体１０２は、第１の端縁１０４から第２の端縁１０６へ及ぶ方向としてよい横方向１１０及び、横方向１１０に交差するように及ぶ縦方向１１２を画成する。随意で、図１及び図２に示すように、一部態様において、面ファスナー１００は第１の端縁１０４及び第２の端縁１０６からそれぞれ外方に延在するタブ１３８を有する。
【００２４】
図１〜図３に示すように、面ファスナー１００は側壁１１４Ａ、Ｂを含む。側壁１１４Ａ、Ｂは上面１０８から上方向に延出し、本体１０２の上面１０８に沿って縦方向１１２に延在する。図１〜図３に示すように、１つの非限定的実施例において、側壁１１４Ａは第１の端縁１０４に近接して配置され、側壁１１４Ｂは第２の端縁１０６に近接して配置される。
【００２５】
一部態様において、各側壁１１４Ａ、Ｂは側壁構成要素１１６Ａ〜Ｃを含む。３個の側壁構成要素が図示されているが、各側壁１１４Ａ、Ｂにはそれぞれ、１以上の側壁構成要素を含む任意の数の側壁構成要素１１６が存在し得る。図１及び図２に示すように、各々の側壁構成要素１１６Ａ〜Ｃは上面１０８から上方向に延出し、複数の高原及び谷を含む。高原及び谷は一定又は不規則な間隔で存在し得る。側壁構成要素１１６は、各種形状の輪郭を有することができ、例示の配列に限らない。場合によっては、側壁構成要素１１６はほとんど平面状であり、複数の高原及び谷を持たない。図１及び図２に示すように、一部態様において、１個の側壁構成要素の高原は隣接する側壁構成要素の谷と揃えられている。側壁１１４Ａ、Ｂは、成形プロセス中に側壁１１４Ａ、Ｂ間の空間へのフォーム侵入の量を低減する防壁の働きをするために配置されている。
【００２６】
また、図示の通り、面ファスナー１００は、本体１０２の上面１０８から上方向に延出する複数のファスナー１１８も有する。図１〜図３に示すように、ファスナー１１８は側壁１１４Ａ、Ｂ間に配置される。少なくとも１個のファスナーを含む任意の適切な数のファスナー１１８が面ファスナー１００から延出し得る。ファスナー１１８は、一般にＹ字形、Ｊ字形などを含む、任意の適切な形状及び構成を有し得る。一般的にＪ字形のファスナーとは、縦方向において一方側にのみ延びるファスナーである。一般にＹ字形のファスナーとは、縦方向において両方側にのびるファスナーである。各々のファスナー１１８は、本体１０２の上面１０８からファスナー１１８の頂端１３２までの距離であるファスナー高さｆ（図３に例示）を画成する。
【００２７】
図１及び図２に示すように、ファスナー１１８は側壁１１４Ａ、Ｂ間で横方向１１０に延在する列に配列される。例示実施例では、ファスナー１１８の各列は５個のファスナー１１８を含むが、１列につき任意の適切な数のファスナー１１８が存在し得る。さらに、第１の端縁１０４から第２の端縁１０６までの距離である面ファスナー１００の幅は、必要に応じて調整可能である。例えば、追加の、又はもっと少数のファスナー１１８が面ファスナー１００の幅に応じて面ファスナー１００の幅にわたって存在し得る。
【００２８】
図１〜図３に言及すれば、面ファスナー１００は、以下に限らないが鉄又は鉄合金といった磁石に吸着可能な物質、いわゆる磁性材料１２８Ａ、Ｂを含む。一部実施例では、磁性材料１２８Ａ、Ｂは側壁１１４Ａ、Ｂ間に配置され得る。他の実施例では、磁性材料１２８Ａ、Ｂはそれぞれ側壁１１４Ａ、Ｂと面ファスナー１００の第１の端縁１０４及び第２の端縁１０６との間に配置され得る。他の実施例では、磁性材料１２８Ａ、Ｂは、横壁１３０と第１の端縁１０４と横壁１３０と第２の端縁１０６との間に配置され得る。他の実施例では、磁性材料１２８Ａ、Ｂは、側壁１１４Ａ、Ｂの一部として配置され得る。上記例において面ファスナーにおける磁性材料１２８Ａ、Ｂの位置を特定したが、磁性材料以外の部分は、磁性材料が含有していない樹脂からなる。
１つの非限定的実施例において、磁性材料１２８は鉄モノフィラメントである。鉄モノフィラメントとは、鉄粉と樹脂を混合することによって作製されたもの、樹脂が混合していない、鉄を主成分とした金属線によって作製されたものどちらでもよい。当然他の任意の適切な磁性材料（コバルト、ニッケル等）も存在し得る。図１〜図３に示すように、磁性材料１２８は縦方向１１２に延在し、一般に側壁１１４Ａ、Ｂに平行である。磁性材料１２８Ａ、Ｂの各々は縦方向１１２に連続しているとしてよいが、必ずしもその必要はない。一部実施例では、磁性材料１２８Ａ、Ｂは本体１０２の上面１０８に近接しているが、そこからずらして配置される。一部実施例では、図３に示すように、磁性材料１２８Ａ、Ｂはファスナー１１８及び横壁１３０の一部を貫いて延在する。
なお、磁性材料１２８Ａ、Ｂは、面ファスナー１００の一部にあるのみに限定されず、当然面ファスナー１００全てにおいてほぼ均一に磁性材料１２８Ａ、１２８Ｂを含んでいてもよい。
【００２９】
また、面ファスナー１００は、本体１０２の上面１０８から上方向に延出する横壁１３０を横方向１１０に含む。図１〜図３に示すように、横壁１３０の一部は横方向に隣接するファスナー１１８を連結する。他の横壁１３０は、ファスナー１１８の一部及び側壁１１４Ａ、Ｂをそれぞれ連結する。一態様において、横壁１３０は個々のファスナー１１８の片側又は両側で連結されファスナー１１８の強度を高めるのを助ける。しかし、横壁１３０はファスナー１１８を含む必要はなく、連結される必要もない。各横壁１３０は、本体１０２の上面１０８から横壁１３０の頂端１３４までの距離である高さを画成する。一部実施例では、横壁１３０の高さはファスナー１１８の高さとほぼ同じであるが、必ずしもその必要はない。一部態様において、各横壁１３０は横壁幅を画成する。場合によっては、横壁幅は一般に、隣接ファスナー１１８間の距離、ファスナー１１８と側壁１１４Ａ、Ｂ間の距離などといった、横壁１３０が連結する隣接構造間の距離から、存在する場合に（以下で検討する）単数又は複数のスリット１３６の幅を引いたものに一致する。
【００３０】
図１〜図３に示すように、横壁１３０内に、又は面ファスナー１００の少なくとも１個の横壁１３０の端に隣接して、少なくとも１個のスリット１３６がある。なお、図３で見た場合、スリット１３６は６つ存在する。図１〜図３に示した実施例では、スリット１３６は横壁１３０の頂端１３４から本体１０２の上面１０８に向けて延在する。スリット１３６は、横壁１３０内の隙間又は空間及び／又は、横壁１３０と横壁１３０が連結する隣接構造との間の隙間又は空間を表し得る。例えば、スリット１３６は横壁１３０によって、又は横壁１３０及び面ファスナー１００のいずれかの他の構成要素によって画成され得る。非限定的実施例として、スリット１３６は、横壁１３０によって、横壁１３０及びファスナー１１８によって、及び／又は横壁１３０及び側壁１１４Ａ、Ｂによって画成され得る。場合によっては、ファスナー１１８の片側又は両側はスリット１３６に接しない。
【００３１】
図３に言及すれば、前述の通り、各ファスナー１１８は、ファスナー１１８の頂端１３２から本体１０２の上面１０８までの距離である高さｆを有する。図示の通り、各スリット１３６は、ファスナー１１８の頂端１３２からスリット１３６の最下限までの距離である高さｈを画成する。スリット１３６の高さｈはほぼｆ±（０．１５＊ｆ）の範囲内の値である。この範囲のスリット１３６の高さにより、以下でさらに詳述する通り、面ファスナー１００における所要量の柔軟性を付与するのを助けることができる。
【００３２】
一部態様において、ｈはおよそｆ−０．１５ｆ（又はおよそ０．８５ｆ）以上であり、且つおよそｆ＋０．１５ｆ（又はおよそ１．１５ｆ）以下である。これらの態様において、スリット１３６の最下限は、上面１０８の下方、上方又は上面の各種位置にあり得る。１つの非限定的実施例として、スリット１３６は、ｈがｆより大きく、且つほぼ１．１５ｆ以下である高さｈを有し得る。これらの実施例の一部において、スリット１３６は本体１０２の上面１０８の下方に延在し本体１０２に溝を形成し得る。別の非限定的実施例として、各々のスリット１３６の最下限は上面１０８の上方にあってもよく、それにより各スリット１３６はｈがほぼ０．８５ｆ以上であり、且つｆより小さい高さｈを有する。他の各種実施例において、ｈはほぼｆと同じ値とし得る（図３に例示）。
【００３３】
さらに図３に言及すれば、本体１０２は、上面１０８から本体１０２の底面３０２までの距離である厚さｔを画成する。一部実施例では、ｔとｆとの合計は面ファスナー１００の全高である。距離ｓは本体１０２の底面３０２からスリット１３６の最下限までの距離である。各種実施例において、ｈとｓとの合計はｔとｆとの合計とほぼ同じとしてよい。
【００３４】
場合によっては、距離ｓが最大値ｓｍａｘである時、高さｈは最小である。距離ｓが最小値ｓｍｉｎである時、高さｈは最大である。このようにして、距離ｓはスリット１３６の高さｈと逆関係にあり、ｓｍｉｎ≦ｓ≦ｓｍａｘである。一部の非限定的実施例では、ｓｍａｘはほぼｔ＋ｔ以下であり、ｓｍｉｎはほぼｔ−ｔよりも大きい。このようにして、距離ｓはほぼｔ−ｔよりも大きいｓｍｉｎ以上としてよく、ほぼｔ＋ｔ以下であるｓｍａｘ以下としてよい。１つの非限定的実施例として、距離ｓはほぼｔ＋（１／２）ｔの値（又は本体１０２の厚さｔよりもほぼ５０％大きい）とし得る。この実施例では、基礎の厚さｔが０．３ｍｍであれば、距離ｓは０．３ｍｍ＋０．１５ｍｍ、すなわち０．４５ｍｍである。ｓ＝ｔの時、高さｈは横壁１３０の頂端１３４から本体１０２の上面１０８までの距離に一致する。
【００３５】
少なくとも１個のスリット１３６の位置及び／又はスリット１３６の数は異なってもよい。このように、任意の列のファスナー１１８が任意の適切な数のスリットを含み得る。図３に示すように、少なくとも１個のスリット１３６は全部の横壁１３０内に存在する必要はない。さらに、複数のスリットが横壁１３０の１個以上に存在し得る。１つの非限定的実施例において、列におけるスリット１３６の数はその列の横壁１３０の数未満であるが、これは必ずしもその必要はない。さらに、複数のスリット１３６が複数列のファスナー１１８に存在し得る。それらの実施例では、１列のファスナー１１８におけるスリット１３６の位置は、他の列のファスナー１１８のスリット１３６の位置と揃えてもずらしてもよい。加えて、１列のファスナー１１８におけるスリット１３６の数は、他の列のファスナー１１８におけるスリット１３６の数と同じであってもよいし異なってもよい。
【００３６】
スリット１３６は均等又は不均等な幅を有し得る。一部態様において、隣接ファスナー１１８を連結するそれらの横壁１３０に隣接する、又はそれらの内部のスリット１３６は、側壁１１４Ａ、Ｂを連結するそれらの横壁１３０に隣接する、又はそれらの内部のスリット１３６のスリット幅よりも小さいスリット幅を有し得るが、必ずしもその必要はない。各種実施例において、大きいスリット幅を有するスリット１３６は、例えば図４Ｂに示すように、製造プロセス中、湾曲したトレンチ表面に面ファスナー１００をより良好に合致させるのを助けるために、側壁１１４Ａ、Ｂに隣接して配置され得る。
【００３７】
１つの非限定的実施例において、スリットの各々又はスリット１３６の部分集合は、およそ０．１ｍｍないし０．２ｍｍ又は、およそ０．０５ｍｍないしおよそ０．２ｍｍの幅を有する。別の非限定的実施例では、少なくとも一部のスリット１３６は上面１０８から横壁１３０の頂端１３４へ幅が狭くなっている。スリット１３６は全部同じ幅を有し得るが、必ずしもその必要はない。１つの非限定的実施例において、スリットの一部又はスリット１３６の部分集合の幅はおよそ０．１ｍｍであるのに対し、他のスリット１３６の幅はおよそ０．２ｍｍである。例えば、ファスナー１１８を連結する横壁１３０と側壁１１４Ａとの間のスリット１３６がおよそ０．２ｍｍの幅又は他の任意の適切な幅を有し得るのに対し、隣接ファスナー１１８を連結する横壁１３０間のスリット１３６はおよそ０．１ｍｍの幅又は他の任意の適切な幅を有し得る。単数又は複数のスリット１３６の幅は、所要のレベルの柔軟性を考慮に入れながら、成形プロセス中のフォーム侵入を最小限にするように選択可能である。場合によっては、スリット１３６の幅は横壁幅よりも小さい。
【００３８】
単数又は複数のスリット１３６の存在により、単数又は複数のスリット１３６を含まない面ファスナーに比べて横方向１１０の面ファスナー１００の柔軟性を改善できる。これは転じて、面ファスナー１００が配置され得る曲面に面ファスナー１００をより良好に合致させ、それはさらにフォームが面ファスナー１００のファスナー１１８に侵入する可能性を低減する。
【００３９】
図４Ａ及び図４Ｂに言及すれば、面ファスナー１００は平坦なトレンチ表面５８４Ａ及び湾曲したトレンチ表面５８４Ｂに配置されて示されている。ここで面ファスナー１００に言及しているが、以下の説明はスリット１３６を有するあらゆる他の開示面ファスナーにも等しく当てはまる。自動車座席といった各種物品及び構成要素を成形するプロセス中、面ファスナー１００は金型内のトレンチ表面に配置される。しかし、トレンチ表面の形状は、製造者、成形する構成要素その他の各種要因に依存して変化し得る。非限定的実施例として、トレンチ表面は平坦なトレンチ表面５８４Ａ又は湾曲したトレンチ表面５８４Ｂとし得る。図４Ａ及び図４Ｂに示すように、スリット１３６は、面ファスナー１００が各種形状のトレンチ表面に良好に合致するように横方向１１０で面ファスナー１００に柔軟性を付与し得る。また、スリット１３６は、トレンチ表面の形状に関わらず面ファスナー１００へのフォーム侵入を防止又は低減できる。
【００４０】
一部実施例では、図４Ａ及び図４Ｂに示すように、側壁１１４Ａ、Ｂの頂端、又は本体１０２から遠位の側壁１１４Ａ、Ｂの部分は、角度を付けるか、湾曲させるか、又は各種輪郭を有するトレンチ表面に側壁１１４Ａ、Ｂがより良好に合致できるような他の各種形状を有し得る。１つの非限定的実施例として、側壁１１４Ａ、Ｂの頂端は外側に向けて高くなるように傾斜している。側壁１１４Ａ、Ｂの最も高い頂端は、ファスナー１１８の最も高い頂端よりも高い。また、１つの別の非限定的実施例として、側壁１１４Ａ、Ｂの頂端は、図４Ｂに示すように、湾曲したトレンチ表面５８４Ｂに良好に合致するために角度付けできる。
【００４１】
一部実施例では、側壁１１４Ａ、Ｂの高さ、又は上面１０８から側壁１１４Ａ、Ｂの頂端までの距離は、横壁１３０の高さよりも大きく、また、ファスナー１１８の各々の高さよりも大きくしてもよい。これらの実施例では、側壁１１４Ａ、Ｂの高さを面ファスナー１００を構成する部材の中で他の部材よりも高くし、より高い側壁１１４Ａ、Ｂは湾曲したトレンチ表面５８４Ｂに良好に合致し得る。
【００４２】
図５、図６及び図７Ａは、別の実施例の面ファスナー３１００を図示している。図示の通り、面ファスナー３１００は、面ファスナー３１００が横壁１３０のスリット１３６の１個以上の内部に配置された隆条３２８６を画成していることを除き、面ファスナー１００と類似である。一部態様において、隆条３２８６は面ファスナー３１００の柔軟性を制御するのを助けることができる。例えば、隆条３２８６は、その用途に合った妥当な量の柔軟性を付与しつつ、面ファスナー３１００が使用者の意図した用途に柔軟すぎるのを防止することが可能である。他の態様において、隆条３２８６は面ファスナー３１００の成形プロセス中に助けとなり得る。例えば、隆条３２８６は、ファスナー１１８の先端に達するまで樹脂（又は面ファスナー３１００の成形に使用される他の材料）を支持することによってファスナー１１８の成形の助けとなり得る。
【００４３】
隆条３２８６は本体１０２の上面１０８から上方向に延出する。各隆条３２８６は、上面１０８から隆条３２８６の頂端３２８８までの距離である高さを画成する。一部態様において、隆条３２８６の高さは横壁１３０の高さよりも小さい。１つの非限定的実施例として、横壁１３０はおよそ１．７ｍｍの高さを有し、隆条３２８６はおよそ０．１５ｍｍの高さを有し得る。他の実施例では、隆条及び横壁は他の適切な高さを有し得る。隆条３２８６は任意の適切な輪郭及び形状を有し得る。必要に応じて、面ファスナー３１００は各種輪郭の隆条３２８６を含み得る。１つの非限定的実施例として、隆条３２８６は縦方向において面ファスナー１００の一端から他端まで連続していることが好ましいが、分割されていてもよい。
【００４４】
図７Ａは、スリット１３６が高さｈを有する非限定的実施例を図示しており、ここでｈはほぼ０．８５ｆ以上であり、且つほぼｆ以下である。また、図７Ａは、ｓがおおよそｔよりも大きい時、距離ｓが本体１０２の底面３０２から隆条３２８６の頂端３２８８までの距離に一致する実施例を図示している。各種実施例において、ｓがおおよそｔよりも大きい時、距離ｓは本体１０２の底面３０２から隆条３２８６の頂端３２８８までの距離に一致する。
【００４５】
図７Ｂは、面ファスナー３１００とほとんど類似である別の非限定的実施例の面ファスナー３３００を図示している。しかし、面ファスナー３１００と比較して、面ファスナー３３００では、スリット１３６が本体１０２の上面１０８の下方に延在して本体１０２に溝３３９０を形成する。この態様において、各スリット１３６は高さｈを有し、ここでｈはほぼｆ以上であり、且つおよそ１．１５ｆ以下である。
【００４６】
図８及び図９は、別の実施例の面ファスナー５００を図示している。図８及び図９に示すように、横壁１３０の一部が隣接構成要素間で連続しているように横壁１３０の全部の内部にスリットが存在するわけではないこと以外、面ファスナー５００は面ファスナー１００と類似である。また、限定ではなく例えば、図８及び図９の面ファスナー５００において、１列のファスナー１１８の横壁１３０の一部が隣接ファスナー１１８間で連続していてもよい（すなわちスリットが存在していなくてもよい）。
【００４７】
図１０〜図１２は、複数の結合した面ファスナー区分７６０を有する面ファスナー７００を図示している。各々の面ファスナー区分７６０は上面７０８を有する本体７０２を含む。面ファスナー１００と同様、各面ファスナー区分７６０は、上面７０８から上方向に延出する側壁１１４Ａ、Ｂ、ファスナー１１８及び横壁１３０のほか、磁性材料１２８Ａ、Ｂを含む。また、図１０〜図１２に示すように、一部態様において、各面ファスナー区分７６０は、縦方向両端において、側壁１１４Ａ、Ｂ間で上面７０８から上方向に延出する一対の防壁７６２を有する。別の態様において、面ファスナー７００の防壁７６２は、スリット１３６とほとんど類似であるとしてよいスリット７３０を含むがファスナー１１８は含んでいない。また、防壁７６２は側壁１１４Ａ、Ｂとほぼ同一の高さを備えている。図示の通り、面ファスナー区分７６０は柔軟要素７６４によって互いに連結されている。一部態様において、柔軟要素７６４は側壁１１４Ａ、Ｂ間で本体７０２に沿って配置される。別の態様において、柔軟要素７６４は磁性材料１２８Ａ、Ｂ間に配置される。さらなる態様において、柔軟要素７６４は、ファスナー１１８、横壁１３０及び／又は防壁７６２の一部を貫いて延在する。また別の態様において、柔軟要素７６４は本体７０２に沿って延在せず、隣接する防壁７６２を連結する。また別の態様において、柔軟要素７６４は本体７０２の成形と同時に作製される（すなわち、柔軟要素７６４と本体７０２が同一樹脂によって構成される）。
【００４８】
図１０〜図１２に示すように、一部実施例では、面ファスナー７００は、防壁７６２の間において、ファスナー１１８の高さとほぼ同じである高さを有する一部の横壁１３０と、ファスナー１１８の高さよりも小さい高さを有する他の横壁１３０とを含む。１つの非限定的実施例において、図１０に示すように、防壁７６２の内側で隣接するフック列はフックの高さとほぼ同じ高さを有する横壁１３０を備える。また、その横壁１３０にはＪ字形のファスナーとスリット１３６を含む。Ｊ字形のファスナーを備える横壁１３０の内側においては、Ｙ字形のファスナー１１８が６列備わっている。また、各面ファスナー区分７６０は、縦方向中央側において、Ｙ字形のファスナー１１８の高さとほぼ同じ高さを有する横壁１３０による２列のファスナー１１８を備える。Ｙ字形のファスナー１１８の高さとほぼ同じ高さを有する横壁１３０とＪ字形のファスナーを備える横壁１３０の間にはファスナー１１８の高さよりも小さい高さを有する横壁１３０による４列のファスナー１１８を備える。他の実施例では、横壁１３０の他の各種組合せが存在し得る。
【００４９】
図１３は、ここで述べた面ファスナー１００を成形するために使用されるダイホイール１１６８（図１４に例示）の外面１０６６のイメージ模型を図示している。図１３は単に図解のための外面１０６６の図である。ダイホイール１１６８は形状が円筒形であり、外面１０６６はファスナー１１８を成形するための複数のファスナー形キャビティ１０７０を画成する。一態様において、ファスナー形キャビティ１０７０はフック形キャビティである。また、図１３に示すように、一部態様において、ダイホイール１１６８の外面１０６６は、横壁１３０を成形するための複数のキャビティ１０７２及び側壁１１４Ａ、Ｂを成形するための複数のキャビティ１０７６を画成している。また、ダイホイール１１６８の外面１０６６は、磁性材料１２８Ａ、Ｂが面ファスナー１００に配置されるそれらの場所を成形するためのキャビティ１０９２も含む。
【００５０】
図１４は、上述の面ファスナー１００を成形するための例示的な押出しプロセスを図示している概略図である。図１４に示すように、押出機１１８０がダイホイール１１６８に隣接して配置される。押出機１１８０は面ファスナー１００を成形するための樹脂が流動できる流路１１８２を含む。流路１１８２は、樹脂がダイホイール１１６８の外面１０６６上に流動できるようにダイホイール１１６８の外面１０６６に対して配置される。一態様において、樹脂が流路１１８２によって導入されると同時に、磁性材料１２８（図示せず）もまたダイホイール１１６８に対して導入され、面ファスナー１００を成形する。別の態様において、磁性材料１２８は樹脂が導入された後に導入される。ダイホイール１１６８は樹脂が導入された後に回転できる。図１３及び図１４に示した構成装置は例示にすぎず、他の構成を有する面ファスナーを成形するために修正できる。
【００５１】
本書に述べた概念に従った多様な種類の実施形態の追加説明を示す「ＥＣ」（実施例の組合せ）として明示的に列挙した少なくとも数例を含む例示的な実施形態の集合を以下に提示する。これらの実施例は互いに排他的、網羅的又は限定的であるように意図しておらず、本発明はこれらの例示実施形態に限定されず、むしろ、請求したクレーム及びそれらの等価物の範囲内の全部の可能な修正及び変更を包含する。
【００５２】
ＥＣ１．面ファスナーであって、第１の端縁、第１の端縁から遠位の第２の端縁、第１の端縁と第２の端縁との間に延在する底面及び、第１の端縁と第２の端縁との間に延在する上面を含む本体を備え、本体は第１の端縁から第２の端縁への横方向及び横方向を横切る縦方向を画成しており、本体の上面から上方向に延出し、本体の横方向に延在する列に配列された複数のファスナーを備え、複数のファスナーの各ファスナーは高さｆを有しており、本体の上面から上方向に延出する複数の横壁を備え、複数の横壁の各横壁は本体の横方向に延在し横壁幅を備えており、複数の横壁の少なくとも一部は複数のファスナーの列に配列され、複数のファスナーの列のファスナーを連結しており、複数の横壁の少なくとも１個の内部に、又はそれに隣接して少なくとも１個のスリットを備えており、少なくとも１個のスリットは横壁の頂端から本体の上面に向けて延在しており、少なくとも１個のスリットは横壁幅よりも小さいスリット幅を有しており、少なくとも１個のスリットはほぼｆ＋０．１５ｆ以下であり、且つほぼｆ−０．１５ｆ以上である高さｈを有する。
【００５３】
ＥＣ２．第１の端縁と第２の端縁との間で本体の上面から上方向に延出する第１の側壁と、第１の側壁と第２の端縁との間で本体の上面から上方向に延出する第２の側壁とをさらに備えており、複数のファスナー及び複数の横壁は第１の側壁と第２の側壁との間で本体の上面に配置されている、上記又は以降の実施例の組合せのいずれかの面ファスナー。
【００５４】
ＥＣ３．少なくとも１個のスリットは複数の横壁の１個及び第１の側壁によって画成される、上記又は以降の実施例の組合せのいずれかの面ファスナー。
【００５５】
ＥＣ４．第１の側壁の高さは複数の横壁の各々の高さよりも大きく、第２の側壁の高さは複数の横壁の各々の高さよりも大きい、上記又は以降の実施例の組合せのいずれかの面ファスナー。
【００５６】
ＥＣ５．少なくとも１個のスリットは複数の横壁の１個及び複数のファスナーの１個によって画成される、上記又は以降の実施例の組合せのいずれかの面ファスナー。
【００５７】
ＥＣ６．少なくとも１個のスリットは複数のファスナーの列のファスナーを連結する複数の横壁の少なくとも１個によって画成される、上記又は以降の実施例の組合せのいずれかの面ファスナー。
【００５８】
ＥＣ７．複数のファスナーの各々はフックを含む、上記又は以降の実施例の組合せのいずれかの面ファスナー。
【００５９】
ＥＣ８．複数の横壁の各々の高さは一般に複数のファスナーの各々の高さと同じである、上記又は以降の実施例の組合せのいずれかの面ファスナー。
【００６０】
ＥＣ９．少なくとも１個のスリットの内部に配置された隆条をさらに備えており、隆条は本体の上面から上方向に延出する、上記又は以降の実施例の組合せのいずれかの面ファスナー。
【００６１】
ＥＣ１０．少なくとも１個のスリットの高さｈは複数のファスナーの頂端から隆条の頂端まで延在し、ｈはｆよりも小さく、且つほぼｆ−０．１５ｆ以上である、上記又は以降の実施例の組合せのいずれかの面ファスナー。
【００６２】
ＥＣ１１．面ファスナーであって、第１の端縁、第１の端縁から遠位の第２の端縁、第１の端縁と第２の端縁との間に延在する底面及び、第１の端縁と第２の端縁との間に延在する上面を含む本体を備え、本体は第１の端縁から第２の端縁への横方向及び横方向を横切る縦方向を画成しており、第１の端縁と第２の端縁との間で上面から上方向に延出する第１の側壁を備え、第１の側壁と第２の端縁との間で上面から上方向に延出する第２の側壁を備え、本体の上面から上方向に延出し、第１の側壁と第２の側壁との間で本体の横方向に延在する列に配列された複数のファスナーを備え、複数のファスナーの各ファスナーは高さｆを有しており、本体の上面から上方向に延出する複数の横壁を備え、複数の横壁の各横壁は第１の側壁と第２の側壁との間で本体の横方向に延在し横壁幅を備えており、複数の横壁の少なくとも一部は複数のファスナーの列に配列され複数のファスナーの列のファスナーの間に延在しており、複数の横壁の各々の高さは一般に複数のファスナーの各々の高さと同じであり、複数の横壁の少なくとも１個の内部に、又はそれに隣接して少なくとも１個のスリットを備えており、少なくとも１個のスリットは横壁の頂端から本体の上面に向けて延在しており、少なくとも１個のスリットは横壁幅よりも小さいスリット幅を有しており、少なくとも１個のスリットはほぼｆ＋０．１５ｆ以下であり、且つほぼｆ−０．１５ｆ以上である高さｈを有する、面ファスナー。
【００６３】
ＥＣ１２．少なくとも１個のスリットは複数の横壁の少なくとも１個及び第１の側壁によって画成される、上記又は以降の実施例の組合せのいずれかの面ファスナー。
【００６４】
ＥＣ１３．少なくとも１個のスリットは複数の横壁の１個及び複数のファスナーの１個によって画成される、上記又は以降の実施例の組合せのいずれかの面ファスナー。
【００６５】
ＥＣ１４．少なくとも１個のスリットは複数のファスナーの列に配列され複数のファスナーの列のファスナーの間に延在する複数の横壁の少なくとも１個によって画成される、上記又は以降の実施例の組合せのいずれかの面ファスナー。
【００６６】
ＥＣ１５．少なくとも１個のスリットは複数のファスナーの列の第１列にあり、第２のスリットは複数のファスナーの列の第２列にある、上記又は以降の実施例の組合せのいずれかの面ファスナー。
【００６７】
ＥＣ１６．少なくとも１個のスリットは横壁の頂端から本体の上面下方の位置まで延在する、上記又は以降の実施例の組合せのいずれかの面ファスナー。
【００６８】
ＥＣ１７．少なくとも１個のスリットは横壁の頂端から本体の上面上方の位置まで延在する、上記又は以降の実施例の組合せのいずれかの面ファスナー。
【００６９】
ＥＣ１８．少なくとも１個のスリットは横壁の頂端から本体の上面まで延在する、上記又は以降の実施例の組合せのいずれかの面ファスナー。
【００７０】
ＥＣ１９．面ファスナーであって、第１の端縁、第１の端縁から遠位の第２の端縁、第１の端縁と第２の端縁との間に延在する底面及び、第１の端縁と第２の端縁との間に延在する上面を含む本体を備え、本体は第１の端縁から第２の端縁への横方向及び横方向を横切る縦方向を画成しており、本体の上面から上方向に延出し、第１の端縁と第２の端縁との間で本体の横方向に延在する列に配列された複数のファスナーを備え、複数のファスナーの各ファスナーは高さｆを有しており、本体の上面から上方向に延出する複数の横壁を備え、複数の横壁の各横壁は本体の横方向に延在し横壁幅を備えており、複数の横壁の少なくとも一部は複数のファスナーの列に配列され、複数のファスナーの列のファスナーの間に延在しており、複数のファスナーの列の第１列における複数の横壁の少なくとも１個の内部に、又はそれに隣接して第１のスリットを備え、第１のスリットは横壁の頂端から本体の上面に向けて延在し、横壁幅よりも小さい第１のスリット幅を有しており、第１のスリットはほぼｆ＋０．１５ｆ以下であり、且つほぼｆ−０．１５ｆ以上である高さｈを有しており、複数のファスナーの列の第２列における複数の横壁の少なくとも１個の内部に、又はそれ隣接して第２のスリットを備え、第２のスリットは横壁の頂端から本体の上面に向けて延在し、横壁幅よりも小さい第２のスリット幅を有する、面ファスナー。
【００７１】
ＥＣ２０．第１のスリットの第１のスリット幅は第２のスリットの第２のスリット幅よりも大きい、上記又は以降の実施例の組合せのいずれかの面ファスナー。
【００７２】
ＥＣ２１．第１のスリット及び第２のスリットの少なくとも１個は横壁の頂端から本体の上面下方の位置まで延在する、上記又は以降の実施例の組合せのいずれかの面ファスナー。
【００７３】
ＥＣ２２．第１のスリット及び第２のスリットの少なくとも１個は横壁の頂端から本体の上面上方の位置まで延在する、上記又は以降の実施例の組合せのいずれかの面ファスナー。
【００７４】
ＥＣ２３．第１のスリット及び第２のスリットの少なくとも１個は横壁の頂端から本体の上面まで延在する、上記又は以降の実施例の組合せのいずれかの面ファスナー。
【００７５】
ＥＣ２４．第１の端縁と第２の端縁との間で本体の上面から上方向に延出する第１の側壁と、第１の側壁と第２の端縁との間で本体の上面から上方向に延出する第２の側壁とをさらに備えており、複数のファスナー及び複数の横壁は第１の側壁と第２の側壁との間で本体の上面に配置されている、上記又は以降の実施例の組合せのいずれかの面ファスナー。
【００７６】
ＥＣ２５．縦方向に延在する少なくとも１個の磁性部をさらに備える、上記又は以降の実施例の組合せのいずれかの面ファスナー。
【００７７】
ＥＣ２６．第１のスリットは複数の横壁の１個及び第１の側壁によって画成される、上記又は以降の実施例の組合せのいずれかの面ファスナー。
【００７８】
ＥＣ２７．第１のスリットは複数の横壁の１個及び複数のファスナーの１個によって画成される、上記又は以降の実施例の組合せのいずれかの面ファスナー。
【００７９】
ＥＣ２８．第１のスリットは、複数のファスナーの列に配列され複数のファスナーの列のファスナーの間に延在する複数の横壁の少なくとも１個によって画成される、上記又は以降の実施例の組合せのいずれかの面ファスナー。
【００８０】
ＥＣ２９．第１のスリットの内部に配置された隆条をさらに備えており、隆条は本体の上面から上方向に延出する、上記又は以降の実施例の組合せのいずれかの面ファスナー。
【００８１】
ＥＣ３０．第１のスリットの高さｈは複数のファスナーの頂端から隆条の頂端まで延在し、ｈはｆよりも小さく、且つほぼｆ−０．１５ｆ以上である、上記又は以降の実施例の組合せのいずれかの面ファスナー。
【００８２】
上記の態様は、単に本開示の原理の明確な理解のために述べた具体化の想定可能な実施例にすぎない。本開示の精神及び原理を逸脱しなければ上記の実施形態（複数も）には多くの変更及び修正をなすことができる。全部のそうした修正及び変更はここで本開示の範囲内に含まれるべく意図しており、個々の態様又は要素もしくはステップの組合せに対する全部の可能なクレームは本開示によって支持されるべく意図している。さらに、特定的な用語を本書のほか後続のクレームにおいて使用しているが、それらは一般的且つ記述的な意味だけで使用されており、記載された本発明も後続のクレームも限定するためのものではない。
【符号の説明】
【００８３】
１００  面ファスナー
１０２  本体
１０４  第１の端縁
１０６  第２の端縁
１０８  上面
３０２  底面
１１０  横方向
１１２  縦方向
１３８  タブ
１１４Ａ、Ｂ  側壁
１１６Ａ〜Ｃ  側壁構成要素
１１８  ファスナー
１２８Ａ、Ｂ  磁性材料
１３０  横壁
１３４  頂端
１３６  スリット
５８４Ａ  平坦なトレンチ表面
５８４Ｂ  湾曲したトレンチ表面
３１００、３３００  面ファスナー
３２８６  隆条
３２８８  隆条の頂端
３３９０  溝
５００、７００  面ファスナー
７６０  結合した面ファスナー区分
７０２  本体
７０８  上面
７３０  スリット
７６２  防壁
７６４  柔軟要素
１０６６  外面
１０７０  ファスナー形キャビティ
１０７２、１０７６、１０９２  キャビティ
１１６８  ダイホイール
１１８０  押出機
１１８２  流路
【図１】
2017023723.tif 000003
【図２】
2017023723.tif 000004
【図３】
2017023723.tif 000005
【図４Ａ】
2017023723.tif 000006
【図４Ｂ】
2017023723.tif 000007
【図５】
2017023723.tif 000008
【図６】
2017023723.tif 000009
【図７Ａ】
2017023723.tif 000010
【図７Ｂ】
2017023723.tif 000011
【図８】
2017023723.tif 000012
【図９】
2017023723.tif 000013
【図１０】
2017023723.tif 000014
【図１１】
2017023723.tif 000015
【図１２】
2017023723.tif 000016
【図１３】
2017023723.tif 000017
【図１４】
2017023723.tif 000018